(57)【要約】【課題】  構成を複雑化させずに、原稿から画像を読み取る際の裏写りの発生を抑えることができるようにする。【解決手段】  第１の画像読取部９は、原稿７に発光照射して原稿７側からの反射光を受ける。第２の画像読取部４７は、第１の画像読取部９と反対側にてこれの光軸から外れた位置に設けられ、原稿７に発光照射して原稿７側からの反射光を受ける。読取制御部５１は、原稿７の画像に対し、光軸を外した状態で第１および第２の画像読取部９、４７を動作させて第１、第２の画像データを得る第１の読取状態と、光軸を合わせた状態で第１、第２の画像読取部９、４７を動作させ、第１、第２の画像データを得る第２の読取状態とを切り換え制御する。演算部２７は、第１、第２の読取状態で得られる第１の画像データどうし又は第２の画像データどうしに基づき、裏写りを除去演算した読み取り画像データを求める。【選択図】  図１
2010114614.tif 000002
【特許請求の範囲】
【請求項１】
原稿台の近傍直下に設けられ、前記原稿台上の原稿に向けて発光照射するとともに前記原稿側からの反射光を受ける第１の画像読取部と、
この第１の画像読取部で受けた前記反射光に基づき電気的な第１の画像データを変換出力する第１の変換部と、
前記原稿を間にして前記第１の画像読取部と反対側において、前記第１の画像読取部からの光軸から外れた位置に設けられ、前記原稿に向けて発光照射するとともに前記原稿側からの反射光を受ける第２の画像読取部と、
この第２の画像読取部における前記反射光に基づき電気的な第２の画像データを変換出力する第２の変換部と、
前記第１の画像読取部を前記第２の画像読取部の光軸位置に相対的に移動させて前記光軸を合わせる第１の移動部と、
前記原稿を循環させて前記第１および第２の画像読取部に対して２回搬送する搬送部と、
この搬送部が前記原稿を搬送させる過程で、前記原稿に記録された同一位置の画像に対し、前記光軸を互いに外した状態で前記第１および第２の画像読取部を動作させて前記第１および第２の変換部から前記第１および第２の画像データを得る第１の読取状態と、前記第１の移動部を制御して前記光軸を互いに合わせた状態で前記第１および第２の画像読取部を動作させ、双方の照射光によって前記第１および第２の変換部から前記第１および第２の画像データを得る第２の読取状態とを切り換え制御する読取制御部と、
前記第１の読取状態時と第２の読取状態時とで前記第１および第２の変換部から得られる前記第１の画像データどうし又は前記第２の画像データどうしに基づき、前記原稿の裏写り部分を除去演算して読み取り画像データを求める演算部と、
を具備することを特徴とする原稿読取装置。
【請求項２】
前記原稿を間にして前記第１および第２の画像読取部とは反対側において、前記第１および第２の画像読取部からの照射光を遮るように前記原稿裏面に向けて配置された第１および第２の原稿圧板と、前記第２の読取状態において、第１又は第２の原稿圧板を前記第１および第２の画像読取部の光軸から外れる位置に相対的に移動させる第２の移動部とを有する請求項１記載の原稿読取装置。
【請求項３】
前記搬送部で搬送される前記原稿の透過率を前記第１および第２の画像読取部より上流位置で検出する検出部と、前記読取制御部は、前記原稿の透過率が所定値より低いと前記検出部が検出したとき、前記第１の読取状態のみで前記第１および第２の変換部から前記第１および第２の画像データを得る制御と、前記原稿の透過率が所定値より高いと前記検出部が検出したとき、前記第１および第２の読取状態で前記第１および第２の変換部から前記第１および第２の画像データを得るよう制御する請求項１又は２記載の原稿読取装置。
【請求項４】
原稿台の近傍直下に設けられ、前記原稿台上の原稿に向けて発光照射するとともに前記原稿側からの反射光を受ける第１の画像読取部と、
この第１の画像読取部で受けた前記反射光に基づき電気的な第１の画像データを変換出力する第１の変換部と、
前記原稿を間にして前記第１の画像読取部と反対側において、前記第１の画像読取部からの光軸に合わせた光軸で前記原稿に向けて発光照射するとともに前記原稿側からの反射光を受ける第２の画像読取部と、
この第２の画像読取部における前記反射光に基づき電気的な第２の画像データを変換出力する第２の変換部と、
前記原稿を間にして前記第１の画像読取部とは反対側において、前記第１および第２の画像読取部からの照射光を遮るように前記原稿裏面に向けて配置され、通電レベルに応じて透明度を変化させる第１の原稿圧板と、
前記原稿を間にして前記第２の画像読取部とは反対側において、前記第１の原稿圧板とは異なる位置で、前記第１および第２の画像読取部からの照射光を遮るように前記原稿表面に向けて配置され、通電レベルに応じて透明度を変化させる第２の原稿圧板と、
前記原稿を前記第１の画像読取部と前記第１の原稿圧板間および前記第２の画像読取部と前記第２の原稿圧板間に搬送する搬送部と、
この搬送部が前記原稿を搬送させる過程で、前記原稿に記録された同一位置の画像に対し、前記第１および第２の画像読取部を動作させるとともに、前記第１および第２の原稿圧板に第１の通電レベルを通電して前記第１および第２の変換部から前記第１および第２の画像データを得る第１の読取状態と、前記第１および第２の原稿圧板に前記第１の通電レベルと異なる第２の通電レベルを通電して前記第１および第２の変換部から前記第１および第２の画像データを得る第２の読取状態とを切り換え制御する読取制御部と、
前記第１および第２の読取状態時とで前記第１および第２の変換部から得られる前記第１の画像データどうし又は前記第２の画像データどうしに基づき、前記原稿の裏写り部分を除去演算して読み取り画像データを求める演算部と、
を具備することを特徴とする原稿読取装置。
【請求項５】
前記請求項１〜４いずれか１記載の原稿読取装置を具備し、読み取った前記画像データを画像形成する画像形成部を有することを特徴とする画像形成装置。
【発明の詳細な説明】
【技術分野】
【０００１】
本発明は原稿読取装置および画像形成装置に係り、原稿に表示された画像を読み取る原稿読取装置、およびこれを搭載した複写機、ファクシミリ機、複合機（ＭＦＰ：Multi Function Peripheral）等の画像形成装置の改良に関する。
【背景技術】
【０００２】
従来、この原稿読取装置を備えた画像形成装置においては、原稿の表面からの画像の読み取りに当たり、原稿が薄いと、裏面に記録された画像が透けて表面の画像とともに読み取られてしまう、いわゆる裏写りが発生し易い。
【０００３】
しかも、原稿読取装置にあっては、原稿の画像を正確に読み取る目的で、原稿圧板を原稿裏面側に配置する構成が多いので、原稿圧板の存在を考慮した裏写り防止構成が望まれている。
【０００４】
そこで、例えば特開平９−１３５３４４号公報（特許文献１）の原稿読み取り装置が提案されている。
【０００５】
この特許文献１は、原稿用紙の光透過率を測定し、ガラスや光透過性樹脂からなる原稿圧板を原稿裏面側に配置し、原稿用紙の光透過率を検出し、この測定値が所定の設定値よりも大きい場合には、原稿用紙の表面側のＬＥＤ光源からの光の照射に加えて、裏面側のＬＥＤ光源から原稿用紙の裏面に光を照射し、１ライン毎に裏面側のＬＥＤ光源を点灯（ＯＮ）と消灯（ＯＦＦ）させながら１ラインにつき２回走査を行なって画像データを取得する構成を有し、たとえ原稿用紙の裏面に原稿圧板があっても、それら点灯と消灯の走査によって得られた画像データに基づき、裏写り成分を除去できるようにしたものである。
【特許文献１】特開平９−１３５３４４号公報
【発明の開示】
【発明が解決しようとする課題】
【０００６】
しかしながら、上述した特許文献１では、光透過性の原稿圧板を介してＬＥＤ光源から原稿用紙の裏面に光を照射するので、原稿圧板が白色拡散板としての効果が弱くなり、画像データ読取時に原稿白色部分と薄い濃度の部分のレベル差が逆に小さくなってそれらの識別が難しく、下地かぶりしたような画像データとなり易い難点があった。
【０００７】
そこで、本発明者は、原稿読取装置の構成に加えて、光源から原稿に照射して得られる反射光や透過光について注意深く観察検討した結果、たとえ原稿圧板が介在しても、原稿裏面に光を照射する時に原稿圧板が光を遮らない状態にすれば、原稿裏面からの照射を十分に利用することが可能である点を見出し、本発明を完成させた。
【０００８】
本発明はそのような課題を解決するためになされたもので、原稿から画像を読み取る際の裏写りを高精度で抑えることが容易な原稿読取装置およびこれを搭載した画像形成装置の提供を目的とする。
【課題を解決するための手段】
【０００９】
そのような課題を解決するために本発明の請求項１に係る原稿読取装置は、原稿台の近傍直下に設けられ、その原稿台上の原稿に向けて発光照射するとともに原稿側からの反射光を受ける第１の画像読取部と、この第１の画像読取部で受けた反射光に基づき電気的な第１の画像データを変換出力する第１の変換部と、その原稿を間にして第１の画像読取部と反対側において、その第１の画像読取部からの光軸から外れた位置に設けられ、その原稿に向けて発光照射するとともに原稿側からの反射光を受ける第２の画像読取部と、この第２の画像読取部における反射光に基づき電気的な第２の画像データを変換出力する第２の変換部と、その第１の画像読取部を第２の画像読取部の光軸位置に相対的に移動させて光軸を合わせる第１の移動部と、その原稿を循環させてそれら第１および第２の画像読取部に対して２回搬送する搬送部と、この搬送部が原稿を搬送させる過程で、原稿に記録された同一位置の画像に対し、その光軸を互いに外した状態でそれら第１および第２の画像読取部を動作させて第１および第２の変換部から第１および第２の画像データを得る第１の読取状態と、その第１の移動部を制御して光軸を互いに合わせた状態で第１および第２の画像読取部を動作させ、双方の照射光によって第１および第２の変換部から第１および第２の画像データを得る第２の読取状態とを切り換え制御する読取制御部と、その第１の読取状態時と第２の読取状態時とで第１および第２の変換部から得られる第１の画像データどうし又は第２の画像データどうしに基づき、原稿の裏写り部分を除去演算して読み取り画像データを求める演算部と、を具備している。
【００１０】
本発明の請求項２に係る原稿読取装置は、上記原稿を間にして第１および第２の画像読取部とは反対側において、それら第１および第２の画像読取部からの照射光を遮るように原稿裏面に向けて配置された第１および第２の原稿圧板と、その第２の読取状態において、第１又は第２の原稿圧板を第１および第２の画像読取部の光軸から外れる位置に相対的に移動させる第２の移動部とを有する構成を有している。
【００１１】
本発明の請求項３に係る原稿読取装置では、上記搬送部で搬送される原稿の透過率を第１および第２の画像読取部より上流位置で検出する検出部と、その読取制御部は、原稿の透過率が所定値より低いとその検出部が検出したとき、その第１の読取状態のみで第１および第２の変換部から第１および第２の画像データを得る制御と、その原稿の透過率が所定値より高いとその検出部が検出したとき、それら第１および第２の読取状態で第１および第２の変換部から第１および第２の画像データを得るよう制御する構成を有している。
【００１２】
本発明の請求項４に係る原稿読取装置は、原稿台の近傍直下に設けられ、その原稿台上の原稿に向けて発光照射するとともに原稿側からの反射光を受ける第１の画像読取部と、この第１の画像読取部で受けた反射光に基づき電気的な第１の画像データを変換出力する第１の変換部と、その原稿を間にして第１の画像読取部と反対側において、その第１の画像読取部からの光軸に合わせた光軸で原稿に向けて発光照射するとともに原稿側からの反射光を受ける第２の画像読取部と、この第２の画像読取部における反射光に基づき電気的な第２の画像データを変換出力する第２の変換部と、その原稿を間にして第１の画像読取部とは反対側において、それら第１および第２の画像読取部からの照射光を遮るように原稿裏面に向けて配置され、通電レベルに応じて透明度を変化させる第１の原稿圧板と、その原稿を間にして第２の画像読取部とは反対側において、その第１の原稿圧板とは異なる位置で、それら第１および第２の画像読取部からの照射光を遮るように前記原稿表面に向けて配置され、通電レベルに応じて透明度を変化させる第２の原稿圧板と、その原稿を第１の画像読取部と第１の原稿圧板間および第２の画像読取部と第２の原稿圧板間に搬送する搬送部と、この搬送部が原稿を搬送させる過程で、その原稿に記録された同一位置の画像に対し、それら第１および第２の画像読取部を動作させるとともに、第１および第２の原稿圧板に第１の通電レベルを通電して第１および第２の変換部から第１および第２の画像データを得る第１の読取状態と、それら第１および第２の原稿圧板に第１の通電レベルと異なる第２の通電レベルを通電して第１および第２の変換部から第１および第２の画像データを得る第２の読取状態とを切り換え制御する読取制御部と、それら第１および第２の読取状態時とで第１および第２の変換部から得られる第１の画像データどうし又は第２の画像データどうしに基づき、その原稿の裏写り部分を除去演算して読み取り画像データを求める演算部と、を具備している。
【００１３】
本発明の請求項５に係る画像形成装置は、それら何れかの原稿読取装置を具備し、読み取った画像データを画像形成する画像形成部を有する構成になっている。
【発明の効果】
【００１４】
このような本発明の請求項１に係る原稿読取装置では、原稿を循環させて第１および第２の画像読取部に対して２回搬送する過程で、原稿に記録された同一位置の画像に対し、その光軸を互いに外した状態で第１および第２の画像読取部を動作させた第１の読取状態で、第１および第２の変換部から第１および第２の画像データを出力させる一方、その第１の移動部を制御して光軸を互いに合わせた状態で第１および第２の画像読取部を動作させた第２の読取状態で第１および第２の変換部から第１および第２の画像データを出力させ、その第１および第２の読取状態時で第１および第２の変換部から得られる第１の画像データどうし又は第２の画像データどうしに基づき、演算部にて原稿の裏写り部分を除去演算した読み取り画像データを求めるから、画像を読み取る際の裏写りを高精度で抑えることが容易である。
【００１５】
本発明の請求項２に係る原稿読取装置では、上記第１および第２の画像読取部からの照射光を遮るように原稿裏面に向けて配置された第１および第２の原稿圧板と、その第２の読取状態において第１又は第２の原稿圧板を相対的に移動させる第２の移動部とを有する構成では、画像を読み取る際の裏写りを、より一層高精度で抑えることが可能である。
【００１６】
本発明の請求項３に係る原稿読取装置では、搬送される原稿の透過率を第１および第２の画像読取部より上流位置で検出する検出部を有し、その原稿の透過率が所定値より低いとき、その第１の読取状態のみで第１および第２の変換部から第１および第２の画像データを得る一方、その原稿の透過率が所定値より高いとその検出部が検出したとき、それら第１および第２の読取状態で第１および第２の変換部から第１および第２の画像データを得るから、原稿の厚みによる透過率に基づき、特に薄い原稿について、画像を読み取る際の裏写りを精度で抑えることが可能である。
【００１７】
本発明の請求項４に係る原稿読取装置は、原稿を搬送させる過程で、その原稿に記録された同一位置の画像に対し、第１の通電レベルを第１および第２の原稿圧板に通電した第１の読取状態にて、第１および第２の画像読取部を動作させて第１および第２の変換部から第１および第２の画像データを得る一方、第２の通電レベルを通電して第１および第２の原稿圧板に通電した第２の読取状態にて、第１および第２の変換部から第１および第２の画像データを得るとともに、それら第１および第２の読取状態時とで第１および第２の変換部から得られる第１の画像データどうし又は第２の画像データどうしに基づき、演算部にて原稿の裏写り部分を除去演算した読み取り画像データを求めるから、構成を複雑化させず、画像を読み取る際の裏写りを高精度で抑えることが容易である。
【００１８】
本発明の請求項５に係る画像形成装置では、それら何れかの原稿読取装置を具備し、読み取った画像データを画像形成する画像形成部を有する構成になっているから、裏写りの発生を抑えた画像データの画像形成が容易である。
【発明を実施するための最良の形態】
【００１９】
以下、本発明に係る原稿読取装置および画像形成装置の実施の形態を図面を参照して説明する。
【００２０】
まず、本発明に係る原稿読取装置Ａから説明する。
【００２１】
図１は、本発明に係る原稿読取装置Ａの実施の形態を示す構成図である。
【００２２】
図１において、本体ケース１は、後述する画像形成装置Ｂの本体ケースを兼ねるものであり、その上側には透明なコンタクトガラス３、５が配置されている。
【００２３】
コンタクトガラス３は、細長い長方形を有し、読み取る原稿７の主走査方向（原稿の搬送方向に直交する方向）に沿って本体ケース１の側部に寄せて配置されており、第１の原稿台として機能する。
【００２４】
コンタクトガラス５は、原稿７の寸法より大形の方形形状を有し、コンタクトガラス３の近傍からコンタクトガラス３とは反対方向に延びるように配置されており、第２の原稿台として機能する。
【００２５】
本体ケース１内部において、コンタクトガラス３の近傍直下には、コンタクトガラス３上に位置する原稿７に向けて光を発光照射するとともにその原稿側からの反射光を受ける第１の画像読取部９が形成されている。
【００２６】
第１の画像読取部９は、図２Ａに示すように、コンタクトガラス３上に位置する原稿７に向けて光を発光照射する例えば発光ダイオード等からなる第１の光源１１と、コンタクトガラス３側からの反射光を受けて反射するミラー１３と、これらを収納する収納部１５を有している。
【００２７】
第１の光源１１は、コンタクトガラス３上の原稿７の画像を１走査ラインずつ読み取るライン状光源である。
【００２８】
第１の画像読取部９は、図１に示すように、本体ケース１内部に配置された第１の移動部１７に連結されており、コンタクトガラス３の近傍直下を始端とし、コンタクトガラス５に沿ってこれと並行に図中右端に向けて所定のタイミングで間欠移動するとともに、終端に至ったとき始端に向けて戻るよう、第１の移動部１７によって往復動制御されている。
【００２９】
なお、第１の画像読取部９は、第１の移動部１７によって後述する第２の画像読取部４７付近に移動するが、詳細は後述する。
【００３０】
本体ケース１内において、ミラー１３からの反射光の光軸上には、ミラー１９、２１、集光レンズ２３および第１の変換部２５が配置され、光学系が形成されている。
【００３１】
第１の変換部２５は、例えばＣＣＤ（charge coupled device）からなり、ミラー１９、２１で屈曲導光され、集光レンズ２３で集光された第１の画像読取部９からの反射光に基づき、この光量に応じたレベルの多値電気信号にデジタル変換した第１の画像データを演算部２７に出力するものである。演算部２７については後述する。
【００３２】
本体ケース１には、コンタクトガラス３、５を覆うようにして自動原稿供給部２９が載置され、図示しないヒンジ機構によって当該端部が本体ケース１に固定され、扇状に変位可能になっている。自動原稿供給部２９がコンタクトガラス３、５に重ねられた状態では、コンタクトガラス５に載置した原稿７が押圧されるようになっている。
【００３３】
自動原稿供給部２９は、その本体部３１がコンタクトガラス３の上側に位置し、この本体部３１から延びる原稿トレイ３３および排紙トレイ３５がコンタクトガラス５の上側に位置するようになっている。
【００３４】
自動原稿供給部２９の本体部３１内には、原稿トレイ３３から原稿７を給紙して第１の画像読取部９近傍を介してループ状に搬送し、排紙トレイ３５に排紙させる第２の移動部としての複数の搬送用ローラ３７が配置されている。搬送用ローラ３７による原稿７のループ状搬送については後述する。
【００３５】
本体部３１は、第１の画像読取部９近傍において、第１の光源１１からの照射光を内部に導光できるようになっており、第１の光源１１からの照射光軸を遮るようにして第１の原稿圧板（白色板）３９が配置され、搬送される原稿７の裏面に第１の原稿圧板３９が圧接されるようになっている。
【００３６】
第１の光源１１は第１の原稿圧板３９方向にのみ光を照射するようになっており、第１の原稿圧板３９は第１の光源１１からの照射光を反射するものである。
【００３７】
本体部３１内には、第１の原稿圧板３９より下流側を搬送される原稿７の裏面に向けて光を発光照射する例えば発光ダイオード等からなる第２の光源４１と、この光軸を遮る第２の原稿圧板（白色板）４３と、後述する第２の変換部４５が配置されて第２の画像読取部４７が形成されている。
【００３８】
第２の光源４１は第２の原稿圧板４３方向にのみ光を照射するようになっており、第２の原稿圧板４３は原稿７に圧接されるとともに第２の光源４１からの照射光を反射するものである。しかも、第１および第２の光源１１、４１は、それらの光軸が原稿７の搬送方向に若干の間隔をおいて並行になるように配置されている。
【００３９】
第２の変換部４５は、例えばＣＩＳ（contact image sensor）等からなり、第２の光源４１からの照射光のレベルに応じて電気的にデジタル変換した第２の画像データを演算部２７に出力するものである。
【００４０】
本体部３１内において、第２の原稿圧板４３は、図２Ａに示すように、それを移動させる第２の移動部４９に連結されており（図では分離して示す。）、第１の画像読取部９が第１の原稿圧板３９の直下にある位置から、同図Ｂのように第２の変換部４５の直下、すなわち第２の光源４１の光軸上に位置するとき、第２の光源４１からの照射光がミラー１３で受けられるよう、第２の移動部４９によってスライド変位可能になっている。第１の画像読取部９が、図２Ａの位置に戻るとき、第２の原稿圧板４３も同図Ａの位置に戻るようになっている。
【００４１】
なお、第１の画像読取部９による図２Ａ、Ｂ間での移動は、上述した第１の移動部１７によってなされる。
【００４２】
読取制御部５１は、原稿７が第１の原稿圧板３９付近を搬送される過程で、原稿７に記録された同一位置の画像において、第１および第２の画像読取部９、４７を動作させて第１および第２の変換部２５、４５から第１および第２の画像データを得る第１の読取状態（図２Ａ参照）と、光軸を互いに合わせた状態で第１および第２の画像読取部９、４７を動作させて第１および第２の変換部２５、４５から第１および第２の画像データを得る第２の読取状態（図２Ｂ参照）と、を切り換え制御する機能を有している。
【００４３】
すなわち、読取制御部５１は、原稿７に対し１走査ライン毎に一時的に停止しながら間欠移動するよう自動原稿供給部２９のローラ３７を制御するとともに、第１および第２の原稿圧板３９、４３付近を原稿７が搬送される過程で、図２Ａに示す状態（第１の読取状態）において、原稿７の表裏面について１走査ライン毎に、第１および第２の光源１１、４１から光を発光照射させて第１および第２の変換部２５、４５から第１および第２の画像データを得て演算部２７に出力制御する機能を有している。
【００４４】
さらに、読取制御部５１は、図２Ａの第１の読取状態で読み取られた原稿７を再度循環搬送して排紙トレイ３５に搬送排紙するようローラ３７を制御する一方、原稿７を再度循環搬送して第１および第２の原稿圧板３９、４３付近を搬送させる直前に、第１の移動部１７を制御して第１の画像読取部９を第２の光源４１の光軸位置に移動制御するとともに、第２の移動部４９を制御して第２の原稿圧板４３を第２の光源４１の光軸から外すように移動制御し、同図Ｂの第２の読取状態を形成する。
【００４５】
この第２の読取状態において、読取制御部５１は、１走査ライン毎に一時的に停止しながら間欠移動するよう自動原稿供給部２９のローラ３７を制御するとともに、第１および第２の原稿圧板３９、４３を原稿７が搬送される過程で、原稿７の表裏面について１走査ライン毎に、第１および第２の光源１１、４１から光を発光照射させて第１および第２の変換部２５、４５から第１および第２の画像データを得て演算部２７に出力制御する機能を有している。
【００４６】
この第２の読取状態においては、第１および第２の光源１１、４１から照射光が重畳された状態で第１および第２の変換部２５、４５から第１および第２の画像データが得られる。
【００４７】
上述した演算部２７は、第１および第２の変換部２５、４５から出力された第１の画像データと第２の画像データとに基づき、第１の画像データどうし、第２の画像データどうしの演算を行い、原稿７の裏写り部分を除去演算して表面側の読み取り画像データおよび裏面側の読み取り画像データを求める演算機能を有しており、後述する画像形成装置Ｂの印刷制御部５３に接続されている。
【００４８】
第１の読取状態においては、第１の光源１１の発光照射のみであるから、原稿７からの反射光がある程度は大きいものの、原稿７の透過光の光量が小さくなりがちであるが、第２の読取状態においては、第１および第２の光源１１、４１からの両発光照射があるから、原稿７を透過した光量が大きくなり、透過光による画像レベルを増加させることが可能で、これらを用いて裏写りの除去が可能である。
【００４９】
例えば、図３Ａに示すように、符号「１２３」が原稿７の表面側の画像であり符号「＜＊＞」が原稿７の裏面側の画像であり、同図Ａ中の符号Ｐ位置における表面側の画像データのレベルが第１の読取状態では同図Ｂのようになった場合、同図Ａ中の符号Ｐ位置における表面側の画像データのレベルが第２の読取状態では同図Ｃのようになるから、これらを加算すると、同図Ｄに示すように、画像データのレベルが強調された波形になる。閾値Ｐ’を適当に選定すれば、原稿７の表面からの画像データのみを抽出して原稿７の裏写り部分を除去可能となる。
【００５０】
演算部２７は、第１および第２の読取状態において第１および第２の変換部２５、４５から各々出力された第１および第２の画像データに基づき、例えば第１の画像データどうし、第２の画像データどうしを加算し、所定の大きな閾値Ｐ’を超えた画像データのみを画像形成用の画像データとして画像形成装置Ｂの印刷制御部５３に出力する機能を有している。
【００５１】
次に、本発明に係る原稿読取装置Ａの動作を簡単に説明する。
【００５２】
図１に示すように、原稿７を自動原稿供給部２９の原稿トレイ３３にセットし、図示しない読取キーを操作して読み取り動作を開始させると、ローラ３７が原稿トレイ３３から原稿７を給紙してループ状に搬送し、ループ状に原稿７を２回転搬送してから排紙トレイ３５に排紙させる。
【００５３】
図２Ａに示す第１の読取状態において、第１および第２の画像読取部９、４７付近を搬送する原稿７に対し、１走査ライン毎に一時的に停止しながら原稿７を間欠移動する過程で、その表裏面について１走査ライン毎に第１および第２の光源１１、４１から光を発光照射させて第１および第２の変換部２５、４５から第１および第２の画像データを演算部２７へ出力させる。
【００５４】
なお、第１の画像読取部９によって反射された反射光は、ミラー１９、２１、集光レンズ２３を介して第１の変換部２５に導光され、反射光に応じた第１の画像データが演算部２７に出力される。
【００５５】
さらに、第１の読取状態で読み取られた原稿７をローラ３７によって再度循環搬送して第１および第２の画像読取部９、４７へ搬送し、第２の読取状態にする。
【００５６】
この第２の読取状態においては、読取制御部５１が、第１の移動部１７を制御して第１の画像読取部９を第２の光源４１の光軸位置に移動制御するとともに、第２の移動部４９を制御して第２の原稿圧板４３を第２の光源４１の光軸から外すように移動制御する。
【００５７】
この第２の読取状態において、読取制御部５１は、１走査ライン毎に一時的に停止しながら間欠移動するよう自動原稿供給部２９のローラ３７を制御するとともに、第１および第２の原稿圧板３９、４３を原稿７が搬送される過程で、原稿７の表裏面について１走査ライン毎に第１および第２の光源１１、４１から光を発光照射させ、第１および第２の変換部２５、４５から第１および第２の画像データを演算部２７へ出力させる。
【００５８】
演算部２７からは、第１および第２の読取状態で第１の変換部２５から出力された第１の画像データどうしに基づき、原稿７表面の裏写り部分を除去演算して表面側の読み取り画像データを画像形成装置Ｂの印刷制御部５３に出力する一方、第１および第２の読取状態で第２の変換部４５から出力された第２の画像データどうしに基づき、原稿７裏面の裏写り部分を除去演算して裏面側の読み取り画像データを画像形成装置Ｂの印刷制御部５３に出力する。
【００５９】
次に、上述した原稿読取装置Ａを搭載した画像形成装置Ｂを図４を参照して簡単に説明する。
【００６０】
画像形成装置Ｂは、印刷制御部５３を中心にして上述した原稿読取装置Ａ、記憶部５５、操作パネル部５７、印刷部５９、送受信部６１を有し、例えば複合機（ＭＦＰ）を構成している。なお、画像形成装置Ｂは、これ以外にも構成を有するが、本発明の要旨ではないので説明および図示を省略する。
【００６１】
原稿読取装置Ａは、上述したように原稿７から画像を光学的に読み取るとともに裏写り部分が除去された画像データを生成するスキャナであり、印刷制御部５３を介した読取制御部５１等の制御の下、頁毎の画像データが記憶部５５に記憶されるようになっている。
【００６２】
記憶部５５は、印刷制御部５３の制御の下、原稿読取装置Ａからの読取り画像データや送受信部６１からの後述する受信画像データを記憶する他、印刷制御部５３の動作プログラムを記憶した読み書き可能な例えばハードディスクである。
【００６３】
操作パネル部５７は、図示しないが、本体ケース１の上部に配置され、印刷制御部５３の制御の下、種々の動作状態の表示が可能な表示部としての公知の液晶表示パネルと、装置の動作に係る画像が表示された箇所をタッチすることによって原稿からの読み取りを受付ける入力部としての機能を有している。
【００６４】
印刷部５９は、上述した図１に示した本体ケース１に配置され、図示はしないが、シート材がセットされる複数の給紙部と、上述した画像データから印刷画像イメージデータに展開してトナーカセットからのトナーでトナー現像してシート材にトナー像を転写する転写部と、転写されたシート材の転写画像を定着する定着部等を有する画像形成部としてのカラー又はモノクロ印刷エンジンである。
【００６５】
送受信部６１は、所定のプロトコルに従い、ネットワーク６３を介してコンピュータ等の情報処理装置６５との間で種々の情報を送受信するインターフェース部である。
【００６６】
印刷制御部５３は、ＣＰＵやこのＣＰＵの動作プログラムを格納したＲＯＭを有して形成されており、上述した原稿読取装置Ａ、記憶部５５、操作パネル部５７、印刷部５９および送受信部６１等を制御するとともに、複合機の図示しない機能部を制御している。
【００６７】
このように、本発明の原稿読取装置Ａは、コンタクトガラス（原稿台）３の近傍直下に設けられ、原稿７に向けて発光照射して原稿７側からの反射光を受ける第１の画像読取部９と、この第１の画像読取部９で受けた反射光に基づき電気的な第１の画像データを変換出力する第１の変換部２５と、その原稿７を間にして第１の画像読取部９と反対側にてこれの光軸から外れた位置に設けられ、その原稿７に向けて発光照射して原稿７側からの反射光を受ける第２の画像読取部４７と、この第２の画像読取部４７における反射光に基づき電気的な第２の画像データを変換出力する第２の変換部４１と、その第１の画像読取部９を第２の画像読取部４７の光軸位置に相対的に移動させて光軸を合わせる第１の移動部１７と、その原稿７を循環させて第１および第２の画像読取部９、４７に対して２回搬送するローラ（搬送部）３７と、このローラ３７が原稿７を搬送させる過程で第１および第２の読取状態とを切り換え制御する読取制御部５１と、読み取り画像データを求める演算部２７とを具備している。
【００６８】
しかも、読取制御部５１は、原稿７に記録された同一位置の画像に対し、その光軸を互いに外した状態でそれら第１および第２の画像読取部９、４７を動作させて第１および第２の変換部２５、４５から第１および第２の画像データを得る上記第１の読取状態と、第１の移動部１７を制御して光軸を互いに合わせた状態で第１および第２の画像読取部９、４７を動作させ、双方の照射光によって第１および第２の変換部２５、４５から第１および第２の画像データを得る上記第２の読取状態とを切り換え制御し、更に、演算部２７は、その第１および第２の読取状態時で第１および第２の変換部から得られる第１の画像データどうし又は第２の画像データどうしに基づき、原稿の裏写り部分を除去演算して読み取り画像データを求める機能を有している。
【００６９】
そのため、第１の読取状態時では、その光軸を互いに外した状態で第１および第２の画像読取部９、４７を動作させて画像を読み取り、第２の読取状態時では、その光軸と互いに合わせた状態で第１および第２の画像読取部９、４７を動作させて画像を読み取るから、画像読取時に原稿白色部分と薄い濃度の部分のレベル差が大きくなり、下地かぶりしたような画像データとなり難く、原稿７から画像を読み取る際の裏写りを高精度で抑えることが容易となる。
【００７０】
しかも、原稿７を間にして第１および第２の画像読取部９、４７とは反対側において、それら第１および第２の画像読取部９、４７からの照射光を遮るように原稿裏面に向けて配置された第１および第２の原稿圧板３９、４３と、その第２の読取状態において、第１又は第２の原稿圧板３９、４３を第１および第２の画像読取部９、４７の光軸から外れる位置に相対的に移動させる第２の移動部４９とを有するから、その第１の読取状態時において、第１および第２の変換部２５、４５から得られる第１の画像データには原稿７の表面および裏面の画像に係る確実なデータが含まれるので、より一層、原稿の裏写り部分を除去演算することが可能となり、裏写りを確実に抑えることが可能となる。
【００７１】
ところで、上述した原稿読取装置Ａは、原稿７の厚みにかかわらず、第１の画像読取部９を第２の読取状態において移動変位させて画像を読み取る構成であったが、本発明はこれに限定されない。
【００７２】
すなわち、図１に示すように、第１および第２の画像読取部９、４７より上流位置で、搬送する原稿７の厚みを検出する検出部６７を原稿７の搬送路上に配置し、原稿７の透過率を測定する構成も可能である。
【００７３】
この構成において、上述した読取制御部５１は、原稿７が厚くて透過率が所定値より低いと検出部６７が検出したとき、第１の読取状態のみで第１および第２の変換部２５、４５から第１および第２の画像データを得るよう制御する一方、原稿７が薄くて透過率が所定値より高いと検出部６７が検出したとき、第１および第２の読取状態で第１および第２の変換部２５、４５から第１および第２の画像データを得るよう機能するように形成すれば良い。
【００７４】
このような構成においては、原稿７の厚みによる透過率に基づき、画像を読み取る際の裏写りを高精度で抑えることが可能であるうえ、原稿７が厚くて透過率が低い場合には、第１の読取状態のみで第１および第２の画像データを得るから、画像読み取り速度が高まる利点がある。
【００７５】
さらに、本発明の原稿読取装置Ａは、通電変化によって透明度が変化する部材を第１および第２の原稿圧板３９、４３に使用することで、第１の画像読取部９の移動変位を不要とする構成も可能である。
【００７６】
すなわち、原稿７を間にして第１の画像読取部９とは反対側には、図５に示すように、それら第１および第２の画像読取部９、４７からの照射光を遮るように原稿裏面に向けて第１の原稿圧板６９が配置されている。
【００７７】
さらに、その原稿７を間にして第２の画像読取部４７とは反対側において、その第１の原稿圧板６９とは異なる位置で、それら第１および第２の画像読取部９、４７からの照射光を遮るように原稿表面に向けて第２の原稿圧板７１が配置されている。
【００７８】
第１および第２の原稿圧板６９、７１は、対向する透明電極と、この電極間に介在された濃度可変剤としてのインク剤とを有してなり、図６に示すように、透明電極間に印加する駆動電流の通電レベルに応じてインク剤の配列が変わり、同図Ａ、Ｂのように透明度が変化する機能を有している。
【００７９】
上述した読取制御部５１は、ローラ３７によって原稿７を、第１の画像読取部９と第１の原稿圧板６９との間および第２の画像読取部４７と第２の原稿圧板７１との間に搬送させる過程で、その原稿７に記録された同一位置の画像に対し、それら第１および第２の画像読取部９、４７を動作させるとともに、第１および第２の原稿圧板６９、７１に第１の通電レベルを通電して第１および第２の変換部２５、４５から第１および第２の画像データを得る第１の読取状態と、それら第１および第２の原稿圧板６９、７１に第１の通電レベルと異なる第２の通電レベルを通電して第１および第２の変換部２５、４５から第１および第２の画像データを得る第２の読取状態とを切り換え制御する機能を有している。その他の構成は、上述した構成と同様であるから、説明を繰り返さない。
【００８０】
このような構成の原稿読取装置Ａでは、画像を読み取る際の裏写りを高精度で抑えることが容易であるうえ、通電変化によって濃度が変化する例えば調光レンズ等を第１および第２の原稿圧板３９、４３に使用することで、第１の画像読取部９の移動変位が不要となり、第２の移動部４９が不要で、構成を複雑化させない。
【００８１】
そして、本発明に係る画像形成装置Ｂでは、上述した原稿読取装置Ａに係る効果に加えて、裏写りの発生を抑えた画像データの画像形成が容易である。
【図面の簡単な説明】
【００８２】
【図１】本発明に係る原稿読取装置の実施の形態を示す内部構成図である。
【図２】本発明に係る原稿読取装置の要部を示す要部構成図である。
【図３】本発明に係る原稿読取装置の動作を説明する図である。
【図４】本発明に係る原稿読取装置を搭載した画像形成装置を示すブロック図である。
【図５】本発明に係る原稿読取装置の他の構成を示す要部構成図である。
【図６】本発明に係る原稿読取装置の原稿圧板の動作を説明する図である。
【符号の説明】
【００８３】
１  本体ケース
３、５  コンタクトガラス（第１の原稿台）
７  原稿
９  第１の画像読取部（画像読取部）
１１  第１の光源
１３、１９、２１  ミラー
１５  収納部
１７  第１の移動部
２３  集光レンズ
２５  第１の変換部
２７  演算部
２９  自動原稿供給部
３１  本体部
３３  原稿トレイ
３５  排紙トレイ
３７  ローラ（搬送部）
３９、６９  第１の原稿圧板
４１  第２の光源
４３、７１  第２の原稿圧板
４５  第２の変換部
４７  第２の画像読取部
４９  第２の移動部
５１  読取制御部
５３  印刷制御部
５５  記憶部
５７  操作パネル部
５９  印刷部（画像形成部）
６１  送受信部
６３  ネットワーク
６５  情報処理装置（コンピュータ）
６７  検出部
Ａ  原稿読取装置
Ｂ  画像形成装置
【図１】
2010114614.tif 000003
【図２】
2010114614.tif 000004
【図３】
2010114614.tif 000005
【図４】
2010114614.tif 000006
【図５】
2010114614.tif 000007
【図６】
2010114614.tif 000008